(57)【要約】【課題】小型化を向上させることができる携帯端末装置を実現する。【解決手段】携帯電話機１の第２筐体５は、閉状態において第１筐体３に対向する方向において互いに対向するフロントケース２９及びリアケース３７を有する。フロントケース２９は、樹脂により形成された樹脂部５５と、金属により形成され、樹脂部５５に少なくとも一部が埋設された板金部５７とを有する。板金部５７は、メイン表示装置２７を収納する収納凹部２９ａと収納凹部２９ａの筐体外部より連結部７側に延設された延設部５７ｂとを有する。この延設部５７ｂに対応する筐体内部にカメラユニット３３が配設される。【選択図】図４
2011040853.tif 000002
【特許請求の範囲】
【請求項１】
表示部と、
開口部が形成された第１ケース部材と該第１ケース部材に厚さ方向で結合される第２ケース部材とを有する表示筐体と、
前記開口部に対応した筐体内部に配設されて前記表示部を前記開口部から露出した状態で収納可能な収納凹部を有し、前記第１ケース部材に一体成形される板金部材と、
前記筐体内部の前記厚さ方向に略垂直な方向で前記表示部に隣設される電子部品と、
を備え、
前記板金部材は、前記収納凹部の筐体外側縁部より前記厚さ方向に略垂直な方向に延設される延設部を備え、
前記延設部は、前記電子部品に対応する位置まで延設されている
ことを特徴とする携帯端末装置。
【請求項２】
前記延設部は、前記第１ケース部材に埋設される埋設部を有し、
前記電子部品は、前記収納凹部と前記埋設部との間の前記延設部に対応する位置に配置される
ことを特徴とする請求項１に記載の携帯端末装置。
【請求項３】
前記電子部品が対応して配置される前記延設部の筐体外部側に筐体内部側に向かって操作される操作部材が配設される
ことを特徴とする請求項１又は２に記載の携帯端末装置。
【請求項４】
前記板金部材の前記収納凹部の筐体内部側に対向して配置され、前記表示部及び前記電子部品に電気接続される回路基板を備え、
前記板金部材は、前記回路基板に備えられた基準電位部に導通されている
ことを特徴とする請求項１乃至３のいずれか１項に記載の携帯端末装置。
【請求項５】
回転軸を有するヒンジ部を介して前記表示筐体と前記回転軸を中心に回動可能に連結される連結筐体を備え、
前記電子部品は、前記表示部に対して前記ヒンジ部側に配置されている
ことを特徴とする請求項１乃至４のいずれか１項に記載の携帯端末装置。
【請求項６】
前記第１ケース部材は、前記電子部品の前記表示部とは反対側の位置で前記第２ケース部材に向かって突出形成され、先端が前記第２ケース部材の内面に当接する突出部を有する
ことを特徴とする請求項１乃至５のいずれか１項に記載の携帯端末装置。
【発明の詳細な説明】
【技術分野】
【０００１】
本発明は、携帯電話機、デジタルカメラ、ＰＤＡ、ノートパソコン、ゲーム機等の携帯
端末装置に関する。
【背景技術】
【０００２】
近年、携帯電話機等の携帯端末装置は、撮像装置を備えて、所望時にカメラ撮影可能に構成されている。例えば、折り畳みタイプのカメラ付き携帯端末装置は、表示部側の第１筺体と、操作キー側の第２筺体とを折り畳みにより開閉可能に構成されており、画面表示部側の第１筺体は、折り畳んだ閉状態で外側に位置する第１ケース部材と、折り畳んだ閉状態で内側に位置する第２ケース部材とにより形成されている。
【０００３】
第１ケース部材は所定の撮像窓を備えるとともに、第２ケース部材は画面配置用の開口を形成しており、第１ケース部材と第２ケース部材との間には、開口に配置されるＬＣＤ（液晶ディスプレイ）モジュールと、ＬＣＤモジュールに接続されるＬＣＤ基板とを、第１筺体内の厚み方向で重ねるように配置し、内部には、撮像窓から画像を取り込み得るよう撮像窓に配置されるカメラユニットを配置している。
【先行技術文献】
【特許文献】
【０００４】
【特許文献１】特開２００３−３３３４２０号公報
【発明の概要】
【発明が解決しようとする課題】
【０００５】
このカメラ付き携帯端末装置のような携帯端末装置においては、小型化が要求されているのに対して、ＬＣＤモジュールとカメラユニットとが第１筐体内の厚み方向で重ねるように配置されているため、筐体が大型化してしまうといった問題があった。
【０００６】
本発明の目的は、小型化（薄型化）を可能とした携帯端末装置を提供することにある。
【課題を解決するための手段】
【０００７】
この発明は、表示部と、開口部が形成された第１ケース部材と該第１ケース部材に厚さ方向で結合される第２ケース部材とを有する表示筐体と、前記開口部に対応した筐体内部に配設されて前記表示部を前記開口部から露出した状態で収納可能な収納凹部を有し、前記第１ケース部材に一体成形される板金部材と、前記筐体内部の前記厚さ方向に略垂直な方向で前記表示部に隣設される電子部品と、を備え、前記板金部材は、前記収納凹部の筐体外側縁部より前記厚さ方向に略垂直な方向に延設される延設部を備え、前記延設部は、前記電子部品に対応する位置まで延設されていることを特徴とする。
【発明の効果】
【０００８】
この発明の携帯端末装置にあっては、筐体の小型化、特に薄型化を図ることができる。
【図面の簡単な説明】
【０００９】
【図１】本発明の実施形態の携帯電話機の折畳状態での外観を示す図。
【図２】本発明の実施形態の携帯電話機の展開状態での外観を示す図。
【図３】図１，２の携帯電話機の第２筐体の分解斜視図。
【図４】図２（ａ）のIV−IV線矢視方向の断面図。
【図５】図１の携帯電話機の信号処理系の構成を示すブロック図。
【図６】本発明の実施形態（変形例）における携帯電話機の一部断面図。
【発明を実施するための形態】
【００１０】
本発明である携帯端末装置の実施形態として、携帯端末装置の一例である電子機器としての携帯電話機１について説明する。
【００１１】
この携帯電話機１は、いわゆる折り畳み式の携帯電話機として構成されており、開閉可能に連結された第１筐体（連結筐体）３及び第２筐体（表示筐体）５を備えている。図１は、携帯電話機１が折り畳まれた状態（閉状態）での外観を示す図であり、図１（ａ）は正面図、図１（ｂ）は側面図、図１（ｃ）は背面図である。第１筐体３及び第２筐体５は、連結部（ヒンジ部）７により回動可能に連結されており、回転軸ＲＡ（図１（ａ））回りに回転可能である。
【００１２】
図２は、携帯電話機１が展開された状態（開状態）での外観を示す図であり、図２（ａ）は正面図、図１（ｂ）は側面図である。第１筐体３及び第２筐体５は、例えば、概ね同様の形状に形成されており、閉状態では互いに重ねあわされて互いの輪郭が略一致する。第１筐体３及び第２筐体５は、例えば、薄型直方体状に形成されている。
【００１３】
以下では、開状態における第１筐体３及び第２筐体５の配列方向（図２（ａ）の紙面上下方向）を長さ方向（筐体長手方向）、当該長さ方向に直交する方向を幅方向（筐体幅方向）ということがある。また、閉状態における第１筐体３及び第２筐体５の重なり合う方向（図１（ｂ）の紙面左右方向）を筐体厚さ方向ということがある。
【００１４】
第１筐体３には、例えば、通話用のマイクロフォン１１７（図５参照）の収音孔９（図２（ａ））、着信音等を出力する報知用のスピーカ１１５（図５参照）の放音孔１１（図１（ｃ））、ユーザの操作を受け付ける操作部１３（図２（ａ））、撮像を行う撮像部１５（図１（ａ））が設けられている。
【００１５】
第２筐体５には、例えば、通話用のスピーカ３３（図５参照）の放音孔１７（図２（ａ））、図形や文字情報等を含む画像を表示するメイン表示部１９（図２（ａ））及びサブ表示部２１（図１（ａ））が設けられている。メイン表示部１９は、第２筐体５のうち、閉状態において第１筐体３に対向する対向面部５ａにおいて画像を表示する。サブ表示部２１は、第２筐体５のうち、対向面部５ａの背面側の背面部５ｂにおいて画像を表示する。
【００１６】
図３は、第２筐体５の分解斜視図である。第２筐体５においては、対向面部５ａ側（図２（ｂ）の紙面左側）から順に、パネル２５、メイン表示部１９を構成するメイン表示装置２７、フロントケース（第１ケース部材）２９、サブ表示部２１を構成するサブ表示装置３１、回路基板３５、カメラユニット３３、並びに、リアケース（第２ケース部材）３７が積層されている。なお、一部の部品は筐体厚さ方向に垂直な方向に並列に配置されている。
【００１７】
第２筐体５は、フロントケース２９及びリアケース３７により構成されている。なお、パネル２５も第２筐体５の一部と捉えられてもよい。フロントケース２９（及びパネル２５）は、第２筐体５の対向面部５ａ側の部分を構成している。リアケース３７は、第２筐体５の背面部５ｂ側を構成している。
【００１８】
フロントケース２９とリアケース３７とは、閉状態において第２筐体５が第１筐体３に対して対向する方向（図１（ｂ）の左右方向）において対向している。フロントケース２９及びリアケース３７は、例えば、フロントケース２９に形成された複数の孔部（図示省略）に挿通された複数のネジ（図示省略）が、リアケース３７に形成された複数のネジボス（図示省略）に螺合されることにより、互いに固定される。なお、両ケースの結合部位は、例えば、回路基板３５の外周に配置されている。
【００１９】
フロントケース２９とリアケース３７との間に配置される、スピーカ３３や回路基板３５やカメラユニット３３等の電子部品は、フロントケース２９とリアケース３７とが互いに結合されることにより、フロントケース２９とリアケース３７とに挟持され、第２筐体５内に保持される。
【００２０】
フロントケース２９は、強度を保ちつつ薄型化を図るために、板金部材がいわゆるインサート成形によって一体形成されている。すなわち、フロントケース２９は、樹脂により形成された樹脂部５５と、樹脂部５５に埋設された板金部５７とを有している。
【００２１】
樹脂部５５は、主としてフロントケース２９の外周部分を構成している。板金部５７は、特に図示しないが、メイン表示装置２７が対向して配置される筐体外部側（図３の紙面上側）を凹とする矩形箱状の本体部５７ａを有するととともに、その本体部５７ａの縁部（筐体外側縁部）から外周側（筐体厚さ方向に略垂直な方向）に突出するように延設されるフランジ部（延設部）５７ｂを有している。本体部５７ａは、その外周面が樹脂部５５により被覆されており、フランジ部５７ｂは、少なくとも外周部が樹脂部５５に埋設される。なお、板金部５７の本体部５７ａにより形成されるメイン表示装置２７側の収納凹部２９ａには、メイン表示装置２７が嵌合する。また、板金部５７の図３において樹脂部５５から露出している部分は、本体部５７ａの底面５７ｃである。
【００２２】
板金部５７は、回路基板３５のグランドライン（基準電位部）と電気的に接続されている。例えば、板金部５７には、回路基板３５側に突出する接点用突部（図示省略）が複数形成されており、第２筐体５が組み立てられたときに、接点用突部が、回路基板３５のフロントケース２９側の実装面に設けられたグランドパターン層に当接することにより、板金部５７は、回路基板３５のグランドラインに接続される。
【００２３】
なお、板金部５７は、筐体を構成するフロントケース２９の一部ではあるが、筐体内部に固設されているといえる。例えば、パネル２５を筐体の一部と捉えれば、板金部５７は、明らかに筐体内部に設けられているといえる。また、パネル２５を筐体の一部と捉えなくても、板金部５７は、第２筐体５及び第２筐体５に保持される電子部品（メイン表示装置２７）によって構成される第２筐体５の外部側の面よりも筐体内部側に位置しているから、筐体内部に設けられているといえる。
【００２４】
リアケース３７は、本体部材５９と、サブ表示部２１の窓部を構成する透光部材６１とを有している。
【００２５】
本体部材５９は、リアケース３７の大部分を構成している。本体部材５９は、例えば、フロントケース２９と概ね同等の大きさ及び形状を有している。本体部材５９は、例えば、遮光性の樹脂により形成されている。
【００２６】
透光部材６１は、本体部材５９に形成された、サブ表示装置３１を露出させるための不図示の開口を塞ぐ部材である。透光部材６１は、例えば、両面テープや接着剤等の適宜な固定部材により、本体部材５９の背面部５ｂ側（図３の紙面下方側）の表面に対して、外周部が固定されている。透光部材６１は、例えば、ガラスや透光性の樹脂により形成されている。なお、透光部材６１は、サブ表示装置３１の保護の観点から、比較的硬度の高い部材により形成されることが好ましい。透光部材６１は、例えば、本体部材５９よりも弾性係数が高い部材により形成されている。透光部材６１は、幅方向（図１（ａ）の左から右への方向）において、本体部材５９の中央に配置されている。透光部材６１は、例えば、長さ方向（図１（ａ）の下から上への方向）を長手方向とする矩形に形成されている。
【００２７】
パネル２５は、例えば、透光性を有する樹脂により形成された板状部材である。パネル２５は、メイン表示装置２７の表示面を覆う広さを有しており、フロントケース２９の樹脂部５５に形成された開口部５５ａを閉塞するように、例えば、両面テープや接着剤等の適宜な固定部材によりフロントケース２９の対向面部５ａ側（図２の紙面下方側）の面に固定されている。
【００２８】
メイン表示装置２７は、メイン表示部１９を構成している。メイン表示装置２７は、例えば、液晶ディスプレイや有機ＥＬディスプレイにより構成されている。メイン表示装置２７は、例えば、対向面部５ａの半分以上の面積を有するなど、比較的広い面積を有している。メイン表示装置２７は、フロントケース２９の収納凹部２９ａに嵌合される。
【００２９】
回路基板３５は、例えば、硬質の樹脂をベースとしたプリント配線基板により構成されている。回路基板３５には、カメラユニット３３が嵌合する開口部（切り欠き部）３５ｈが形成されている。回路基板３５には種々の電子部品が配置されており、電子回路が構成されている。例えば、メイン表示装置２７やサブ表示装置３１やカメラユニット３３などの動作を制御する制御回路が構成されている。回路基板３５の実装面には、回路基板３５（電子回路）のグランドラインを構成するグランドパターン層が所定のパターンで配置されている。
本体部５７ａは、リアケース３７に対向する基部（底面）５７ｃと、基部５７ｃの縁部において基部５７ｃに対して立設された壁部５７ｄと、壁部５７ｄの頂部から板金部５７の外周側に突出する鍔部とを有している。なお、基部５７ｃ及び壁部は、メイン表示装置２７が収納される収納凹部２９ａを構成している。
【００３０】
基部５７ｃは、例えば、メイン表示装置２７と同等の大きさ及び形状を有する平板状に形成されている。基部５７ｃは、例えば矩形である。基部５７ｃは、軽量化のために複数の開口部が形成されて肉抜きされている。また、基部５７ｃは、電子部品の配置領域を確保するために、切り欠き部及び／又は孔部が形成されている。
【００３１】
壁部５７ｄは、基部５７ｃから対向面部５ａ側（図３の紙面上方側）へ突出している。壁部５７ｄは、例えば、基部５７ｃに対して直交している。ただし、壁部５７ｄは、基部５７ｃに直交する方向に対して傾斜していてもよい。壁部５７ｄは、基部５７ｃの、概ね全周を囲んでいる。すなわち、壁部５７ｄは、回転軸ＲＡ（図１（ａ））に直交する方向に延びて筐体幅方向に配置される第１壁部及び第２壁部と、回転軸ＲＡに平行な方向に延びて、連結部７側に配置される第３壁部及び連結部とは反対側の筐体長手方向の端部側に配置される第４壁部とを有している。
【００３２】
鍔部は、例えば、基部５７ｃに対して平行である。ただし、鍔部は、基部５７ｃに対して傾斜していてもよい。鍔部は、第１壁部、第２壁部、及び第４壁部それぞれから、板金部５７の外周側（筐体厚さ方向に略垂直な方向）へ突出する、第１鍔部、第２鍔部、及び第４鍔部を有している。
【００３３】
連結部７側に配置される第３壁部から筐体厚さ方向に略垂直な方向である連結部側へ突出して形成される延設部５７ｂは、フロントケース２９の連結部側端部近傍まで基部５７ｃと略平行に延設されており、その端部がフロントケース２９の樹脂部５５に埋設されている。
【００３４】
図３に示すように、板金部５７は、本体部５７ａの鍔部が樹脂部５５に埋設されている。すなわち、本体部５７ａの鍔部は、対向面部５ａ側（図３の紙面上側）の面及び背面部５ｂ側（図３の紙面下側）の面の双方が樹脂部５５により被覆されている。本体部５７ａの基部５７ｃ及び壁部５７ｄは、樹脂部５５に埋設されていない。具体的には、基部５７ｃは、対向面部５ａ側の面及び背面部５ｂ側の面の双方が樹脂部５５により被覆されておらず、樹脂部５５から露出している。壁部５７ｄは、外周側（鍔部や延設部５７ｂ側）の面は樹脂部５５により被覆されているが、内周側（基部５７ｃ側）の面は樹脂部５５により被覆されておらず、樹脂部５５から露出している（図３参照）。なお、メイン表示装置２７を収納する収納凹部２９ａは、板金部５７の本体部５７ａの基部５７ｃ及び壁部５７ｄにより構成されている。
【００３５】
板金部５７の本体部５７ａの幅方向の長さは、樹脂部５５の幅方向の長さと概ね同等である。板金部５７の本体部５７ａの長さ方向の長さは、樹脂部５５の長さ方向の長さよりも小さい。板金部５７の長さ方向の長さは、例えば、樹脂部５５の長さの半分以上である。
【００３６】
板金部５７の延設部５７ｂは、外周端部が樹脂部５５により被覆されており、対向面部５ａ側（図３の紙面上側）の面及び背面部５ｂ側（図３の紙面下側）の面の双方は樹脂部５５により被覆されていない。
【００３７】
フロントケース２９とリアケース３７との間には、筐体長手方向（図３の紙面左右方向）の連結部７とは反対側の端部より、サブ表示装置３１及び回路基板３５が並設されて、それぞれが板金部５７の背面部５ｂ側に対向して配置されている。回路基板３５は、筐体長手方向で板金部５７の基部５７ｃと延設部５７ｂとに跨って配置されている。回路基板３５は、連結部７側の延設部５７ｂに対応する部位の中央部に矩形状の切り欠き３５ｈが形成されており、この切り欠き３５ｈには電子部品としてカメラユニット３３が挿設されている。延設部５７ｂに対応して形成される切り欠き３５ｈの内部に配置されるカメラユニット３３は、延設部５７ｂに対応した位置でフロントケース２９とリアケース３７とに挟持されることとなる。つまり、板金部５７延設部５７ｂは、カメラユニット３３に対応する位置（又は対応する位置よりも連結部７側）まで連結部７側に延設されている。
【００３８】
カメラユニット３３は、撮像素子や撮像レンズなどを有するカメラモジュール３３ａ、カメラモジュール３３ａを筐体内部で保持するホルダー３３ｂ、及びホルダー３３ｂとリアケース３７の撮影窓との間に配置される板金製の化粧パネル３３ｃとが結合されて、一体的に構成されている。また、カメラホルダー３３ｂは、樹脂部材にて形成されているが、外面に金属塗装が施されており、回路基板３５の実装面（図３の紙面下面）に配設された基準電位部と導通されるとともに、リアケース３７の撮影窓近傍の筐体内面に金属蒸着が施された部位と当接されている。また、金属製の化粧パネル３３ｃも、ホルダー３３ｂ及び筐体内面の金属蒸着部位に当接されて、導通されている。
【００３９】
フロントケース２９には、収納凹部２９ａに収納配置されるメイン表示装置２７に対向面部５ａ側で対向して配置され、開口部５５ａを被覆するパネル２５が取り付け固定される。よって、メイン表示装置２７は、フロントケース２９内で板金部５７の基部５７ｃとパネル２５との間に配置されている。
【００４０】
また、フロントケース２９には、パネル２５（メイン表示装置２７）と連結部７との間に３つのキーボタンが筐体幅方向に並設されるサブ操作部４０が配設される。このサブ操作部４０は、パネル２５と同一平面となるようにフロントケース２９の対向面部５ａ側に接着などにより取り付けられて、３つのキー押下部４１ａが形成されたキーシート部材４１と、３つのキー押下部４１ａの背面部５ｂ側に対向して配置される３つのキースイッチ４２ａが対向面部５ａ側の面に実装されてＦＰＣにて構成されるキー基板４２とを有して構成されている。このキー基板４２は、背面部５ｂ側が板金部５７の対向面部５ａ側の表面（樹脂部５５に埋設されていない部位）に接着などにより取り付け固定されている。
【００４１】
サブ操作部４０のキー押下部４１ａのいずれかのキーを筐体内部側に向かって押下すると、押下されたキー押下部４１ａに対向して配置されるキースイッチ４２ａが押下動作され、キースイッチ４２ａの動作に応じた所望の処理が実行される。
【００４２】
第２筐体５の内部に配置されるメイン表示装置２７、キー基板４２、サブ表示装置３１、及びカメラユニット３３などの各種電子部品は、夫々に接続されているＦＰなどの配線部材により回路基板３５に電気的に接続されており、回路基板３５からの信号等により動作制御される。
【００４３】
図４は、第２筐体５の連結部７側端部の筐体幅方向中央における筐体長手方向断面図であり、図２（ａ）のIV−IV線に基づく断面図である。
【００４４】
図４に示されるように、第２筐体５を構成するフロントケース２９とリアケース３７との間には、カメラユニット３３と回路基板３５などが両ケースに挟持された状態で配設されている。また、フロントケース２９には、樹脂部５５に外周が埋設されて、本体部５７ａと延設部５７ｂとを有する板金部５７が一体的に成形されている。本体部５７ａの基部５７ｃは、壁部とともに収納凹部２９ａを対向面部５ａ側に形成しており、この収納凹部２９ａには、メイン表示装置２７が収納されている。このメイン表示装置２７の対向面部５ａ側には、外周内面が樹脂部５５の開口部５５ａ縁部に取り付け固定されるパネル２５が対向して配置されて、開口部５５ａがパネル２５により閉塞される。そして、メイン表示装置２７は、板金部５７の基部（底面）５７ｃとパネル２５とにより筐体厚さ方向で挟持される。なお、メイン表示装置２７の背面部５ｂ側には、板金部５７の基部５７ｃに形成された係止孔に挿嵌される係止部が形成され、この係止部の係止孔への係合によりメイン表示装置２７がフロントケース２９に取り付けられる構成となっている。
【００４５】
フロントケース２９に一体成形される板金部５７は、収納凹部２９ａを形成する本体部５７ａと延設部５７ｂとを有して構成されている。この延設部５７ｂは、本体部５７ａの連結部７側に配置される第３壁部の筐体外部側縁部から連結部７側へ突出して形成されて、フロントケース２９の連結部側端部近傍まで基部５７ｃと略平行に延設されている。そして、延設部５７ｂは、外周端部に樹脂部５５に埋設された埋設部を有している。板金部５７は、この本体部５７ａの基部５７ｃ、第３壁部、及び延設部５７ｂによって、図４における断面形状が段差状に形成されており、筐体外部側（図４の紙面左側）を凹とする矩形箱状の本体部５７ａ（収納凹部２９ａ）にメイン表示装置２７が対向して収納配置され、筐体内部側(図４の紙面右側)を凹とする延設部５７ｂに対向する部位にカメラユニット３３が収納配置されている。なお、延設部５７ｂは、少なくともカメラユニット３３に対応する位置まで連結部７側に延設されており、このカメラユニット３３は、収納凹部２９ａと延設部５７ｂの埋設部との間に対応して配置されている。
【００４６】
なお、第３壁部は、図４の断面図に示される筐体幅方向の中央部位に、メイン表示装置２７と回路基板３７とを接続する配線部材を挿通させるための配線孔が形成されており、図４には第３壁部の図示が省略されている。
【００４７】
図５は、携帯電話機１の信号処理系の構成を示すブロック図である。
【００４８】
携帯電話機１は、ＣＰＵ１０１、メモリ１０３、通信処理部１０５、音響処理部１０７及び画像処理部１０９を備えている。これら各部は例えば第１筐体３内の不図示の回路基板や第２筐体５内の回路基板３５等に設けられたＩＣにより構成されている。
【００４９】
ＣＰＵ１０１及びメモリ１０３は、操作部１３等の各種手段からの信号に基づいて所定の演算を行い、画像処理部１０９等の各種手段の制御を実行する制御部として機能する。
【００５０】
通信処理部１０５は、高周波回路を含んで構成されている。通信処理部１０５は、電波を利用した遠距離無線通信を行うために、ＣＰＵ１０１で処理された音響データ、画像データ等の各種データを変調して、アンテナ１１１を介して送信する。また、通信処理部１０５は、アンテナ１１１を介して受信した信号を復調してＣＰＵ１０１に出力する。
【００５１】
音響処理部１０７は、ＣＰＵ１０１からの音響データを電気信号に変換して通話用のスピーカ３３、着信等を報知するためのスピーカ１１５に出力する。スピーカ３３及びスピーカ１１５は、音響処理部１０７からの電気信号を音響に変換して出力する。一方、マイクロフォン１１７は、入力された音響を電気信号に変換して音響処理部１０７に出力する。音響処理部１０７は、マイクロフォン１１７からの電気信号を音響データに変換してＣＰＵ１０１に出力する。
【００５２】
画像処理部１０９は、ＣＰＵ１０１からの画像データを画像信号に変換してメイン表示部１９及びサブ表示部２１へ出力する。また、撮像部１５から出力される撮像信号（画像データ）を所定のフォーマットの画像データに変換してＣＰＵ１０１へ出力する。
【００５３】
以上の実施形態の携帯電話機１によれば、フロントケース２９の強度を高めて薄型化を図るためにインサート成形によって一体成形された板金部材５７が、筐体長手方向（図２（ａ）の紙面上下方向）で段差状に形成されており、この段差形状となる板金部５７の筐体外部側を凹とする基部５７ｃの筐体外部側に対向してメイン表示装置２７を配設し、筐体内部側を凹とする延設部５７ｂの筐体内部側に対向してカメラユニット３３を配設したことにより、メイン表示装置２７とカメラユニット３３とを筐体厚さ方向に重ねて配置することを回避することができ、第２筐体５の薄型化を図った構成とすることが出来る。
【００５４】
また、メイン表示装置２７とカメラユニット３３とを、本体部５７ａの第３壁部を隔てて筐体長手方向（筐体厚さ方向に略垂直な方向）で隣設した配置構造としたことにより、筐体長手方向の小型化も図った構成となっている。
【００５５】
つまり、メイン表示装置２７とカメラユニット３３とを筐体内部の形状に沿ってスペースを有効的に使用した配置したことにより、筐体を小型化することが出来る。
【００５６】
また、カメラユニット３３を、板金部５７の延設部５７ｂの背面部５ｂ側に対向して配置したことにより、カメラユニット３３を筐体強度が高められた部位に配置することができ、カメラユニット３３の筐体内部への取り付け強度を高めることができ、カメラ装置の撮影性能を高めることができる。また、カメラユニット３３への筐体外部からの衝撃に対して板金部５７の一部である延設部５７ｂにより保護することができる。そして、カメラユニット３３を回路基板３５の基準電位部に導通されている板金部５７の一部である延設部５７ｂに対向して配置することにより、カメラユニット３３の基準電位部への導通を確実に且つ容易に行うことができ、静電対策などを向上させることができる。
【００５７】
また、フロントケース２９の表示部１９（パネル２５）と連結部７との間に筐体内部側への操作を伴うサブ操作部４０を配置し、このサブ操作部４０のキースイッチ４２ａを延設部５７ｂの対向面部５ａ側に対向して配置したことにより、筐体内部側への操作が伴うサブ操作部４０の支持強度を高めることができ、サブ操作部４０の操作性を高めることができる。また、筐体の薄型化が図れた延設部５７ｂに対応する部位にサブ操作部４０などの外装品やその他の電子部品を配置することができ、携帯電話機１の小型化や機能向上を図ることができる。
【００５８】
次に、実施形態の変形例について、図６を用いて説明する。図６は、図４同様に、変形例での第２筐体５の連結部７側端部の筐体幅方向中央における筐体長手方向断面図である。
【００５９】
この変形例に基づく実施形態では、上述した実施形態に対して、第２筐体５の連結部7側端部における筐体厚さ方向の衝撃に対する強度を向上させる構成となっている。具体的には、図６の断面図に示されるように、延設部５７ｂの連結部側先端部を埋設しているフロントケース２９の樹脂部５５が、延設部５７ｂの先端を筐体内面側でカメラユニット３３の近傍まで埋設し、筐体内面の埋設部位の端部からリアケース３７側に向かって筐体厚さ方向にと突出して形成されるリブ（突出部）２９ｂが配設される。そして、このリブ２９ｂは、先端部がリアケース３７の筐体内面に当接している。
【００６０】
このように、フロントケース２９に、筐体内部側でリアケース３７に向かって突出して形成されるリブ２９ｂが配設され、このリブ２９ｂがリアケース３７の筐体内面に当接することで、衝撃などによりフロントケース２９とリアケース３７との少なくとも何れかに筐体内部方向（筐体厚さ方向）への応力が作用した場合に、リブ２９ｂによりフロントケース２９及びリアケース３７の筐体厚さ方向への支持を強固に行うことができ、筐体の破損や撓みなどを抑制することができる。
【００６１】
また、リブ２９ｂが、カメラユニット３３の連結部７側に隣設した位置に配設されるため、カメラユニット３３は、筐体長手方向で板金部５７及びリブ２９ｂの間に配置されることとなり、カメラユニット３３の筐体内部での保持を強化することができる。
【００６２】
なお、リブ２９ｂの外面には金属蒸着が施されて、リブ２９ｂの金属蒸着部位が延設部５７ｂ及びリアケース３７の筐体内面における金属蒸着部位に当接することにより、リアケース３７の筐体内面の金属蒸着部位を回路基板３５の基準電位部に確実に導通させることができ、静電対策を向上させることができる。
【００６３】
なお、上述した実施形態では、筐体内部に配設される電子部品としてカメラユニット３３を例に挙げて説明したが、バイブモータやサブ表示装置などの他の電子部品をカメラユニット３３が配設される位置に配設するようにしてもよく、この場合にも筐体の小型化（薄型化）を向上させることができる。なお、バイブモータを配設した場合には、延設部５７ｂを介してフロントケース２９に発生される振動を効率よく伝達することができる。
【００６４】
さらに、上述した実施形態では、携帯端末装置として携帯電話機を示したが、これに代えて、例えばコードレス電話機や携帯テレビや携帯情報端末や音楽再生端末にも適用可能である。
【符号の説明】
【００６５】
１      携帯電話機（携帯端末装置）
３      第１筐体（連結筐体）
５      第２筐体（表示筐体）
７      連結部（ヒンジ部）
１３    メイン操作部
１９    メイン表示部
２９    フロントケース
２９ａ  収納凹部
３３    カメラユニット
３５    回路基板
３７    リアケース
４０    サブ操作部
５５    樹脂部
５７    板金部
５７ａ  本体部
５７ｂ  延設部
【図１】
2011040853.tif 000003
【図２】
2011040853.tif 000004
【図３】
2011040853.tif 000005
【図４】
2011040853.tif 000006
【図５】
2011040853.tif 000007
【図６】
2011040853.tif 000008